(57)【特許請求の範囲】
【請求項１】
認可帯域および無認可帯域にまたがるワイヤレス通信を円滑にするための方法であって、
統合無線インターフェース上で複数の帯域にまたがるワイヤレス信号を通信するための構成パラメータをコントローラによって選択するステップであって、前記選択される構成パラメータは、セルラー通信用に認可されている一次帯域上でワイヤレス信号を通信するための第1のセットの構成パラメータ、および無認可通信用に確保されている補完帯域上でワイヤレス信号を通信するための第2のセットの構成パラメータを含み、前記一次帯域及び前記補完帯域の双方に、同じ無線アクセス技術（RAT）が使用される、ステップと、
前記選択された構成パラメータに従って前記統合無線インターフェース上でワイヤレス伝送を実行することを送信ポイントに促すステップであって、前記一次帯域にまたがる前記ワイヤレス伝送の部分は、前記第1のセットの構成パラメータに従って通信され、前記補完帯域にまたがる前記ワイヤレス伝送の部分は、前記第2のセットの構成パラメータに従って通信される、ステップと、
を含み、
前記統合無線インターフェースに従って前記選択された構成パラメータを使用して前記一次帯域および前記補完帯域の両方にまたがるワイヤレス伝送を実行することを前記送信ポイントに促すステップは、
QoS制約条件に戻づいて、ソフトウェア定義無線(SDR)シグナリング命令を前記送信ポイントに送信するステップであって、前記SDRシグナリング命令は、前記第1のセットの構成パラメータに従って前記一次帯域上で前記ワイヤレス伝送を搬送するために1つまたは複数の無線インターフェース構成パラメータを動的に適応させることおよび前記第2のセットの構成パラメータに従って前記補完帯域上で前記ワイヤレス伝送を搬送するために1つまたは複数の無線インターフェース構成パラメータを動的に適応させることを前記送信ポイントに促す、ステップを含み、
前記一次帯域上の決定論的QoS制約条件を有するトラフィックをスケジュールするか、又は前記補完帯域がトラフィックの統計的QoS制約条件を満たすことができるときに、前記補完帯域上の統計的QoS制約条件を有するトラフィックをスケジュールする、方法。
【請求項２】
前記統合無線インターフェースは、前記送信ポイントから単一の受信ポイントまたは複数の受信ポイントに伸びており、
前記一次帯域にまたがる前記ワイヤレス伝送の部分は、前記複数の受信ポイント内の第1のサブセットの受信ポイントに通信され、前記補完帯域にまたがる前記ワイヤレス伝送の部分は、前記複数の受信ポイント内の第2のサブセットの受信ポイントに通信される請求項1に記載の方法。
【請求項３】
前記ワイヤレス伝送は、前記一次帯域上で通信される第1のフレームおよび前記補完帯域上で通信される第2のフレームを備え、前記第2のフレームは前記第1のフレームとは異なるフレーム構造を有し、前記第1のフレームおよび前記第2のフレームは時間領域において重なり、
前記第1のフレーム内の少なくとも1つのチャネルが前記第2のフレーム内の対応するチャネルとは異なるサイズ、配置、または向きを有するように、前記第1のフレームおよび前記第2のフレームは異なるチャネル構造を備える請求項1に記載の方法。
【請求項４】
前記ワイヤレス伝送は、前記一次帯域内の承認ベースのリソースおよび前記補完帯域内の承認なしのリソースにまたがり、前記一次帯域の前記承認ベースのリソースはスケジューリングベースのアクセス方式に従ってアクセスされ、前記補完帯域の前記承認なしのリソースは競合ベースのまたはランダムなアクセス方式に従ってアクセスされる請求項1に記載の方法。
【請求項５】
前記一次帯域にまたがる前記ワイヤレス伝送の部分は、第1の波形を介してトランスポートされ、前記補完帯域にまたがる前記ワイヤレス伝送の部分は、前記第1の波形とは異なる第2の波形を介してトランスポートされ、
前記第1の波形は、直交周波数分割多重化(OFDM)波形を備え、前記第2の波形は、フィルタバンクマルチキャリア(FBMC)波形またはfiltered-OFDM(F-OFDM)波形を備える請求項1に記載の方法。
【請求項６】
前記ワイヤレス伝送は、前記一次帯域上のトラフィックフローの第1の部分および前記補完帯域上の前記トラフィックフローの第2の部分を搬送し、前記トラフィックフローの前記第2の部分は前記トラフィックフローの前記第1の部分から除外された少なくともいくらかのデータを含む、またはその逆の、請求項1に記載の方法。
【請求項７】
プロセッサと、
前記プロセッサによって実行するためのプログラミングを記憶するコンピュータ可読記憶媒体であって、前記プログラミングは請求項1から6のいずれか一項に記載の方法におけるアクションを実装するための命令を含む、コンピュータ可読記憶媒体と、
を備える、コントローラ。
【請求項８】
認可帯域および無認可帯域にまたがる信号を送信するための方法であって、
送信ポイントと1つまたは複数の受信ポイントとの間に統合無線インターフェースを確立するステップと、
一次帯域の少なくとも一部および補完帯域の少なくとも一部にまたがる前記統合無線インターフェース上でワイヤレス伝送を前記送信ポイントによって実行するステップであり、前記一次帯域はセルラーオペレーション用に認可され、前記補完帯域は無認可通信用に確保されており、前記一次帯域及び前記補完帯域の双方に、同じ無線アクセス技術（RAT）が使用される、ステップと、
を含み、
前記統合無線インターフェース上で複数の帯域にまたがるワイヤレス信号を通信するための構成パラメータは、コントローラによって選択され、前記選択された構成パラメータは、前記一次帯域上で信号を通信するための第1のセットの構成パラメータ、および前記補完帯域上で信号を通信するための第2のセットの構成パラメータを含み、
前記方法はさらに、
QoS制約条件に戻づいて、ソフトウェア定義無線(SDR)シグナリング命令を前記送信ポイントに送信するステップであって、前記SDRシグナリング命令は、前記第1のセットの構成パラメータに従って前記一次帯域上で前記ワイヤレス伝送を搬送するために1つまたは複数の無線インターフェース構成パラメータを動的に適応させることおよび前記第2のセットの構成パラメータに従って前記補完帯域上で前記ワイヤレス伝送を搬送するために1つまたは複数の無線インターフェース構成パラメータを動的に適応させることを前記送信ポイントに促す、ステップを含み、
前記一次帯域上の決定論的QoS制約条件を有するトラフィックをスケジュールするか、又は前記補完帯域がトラフィックの統計的QoS制約条件を満たすことができるときに、前記補完帯域上の統計的QoS制約条件を有するトラフィックをスケジュールする、方法。
【請求項９】
前記ワイヤレス伝送を実行するステップは、
前記一次帯域上で第1のフレームを送信するステップと、
前記補完帯域上で第2のフレームを送信するステップと、
を含み、前記第2のフレームは前記第1のフレームとは異なるフレーム構造を有し、前記第1のフレームおよび前記第2のフレームは時間領域において重なり、
前記第1のフレーム内の少なくとも1つのチャネルが前記第2のフレーム内の対応するチャネルとは異なるサイズ、配置、または向きを有するように、前記第1のフレームおよび前記第2のフレームは、異なるチャネル構造を備える請求項8に記載の方法。
【請求項１０】
前記ワイヤレス伝送を実行するステップは、
前記一次帯域上で第1の波形を送信するステップと、
前記補完帯域上で第2の波形を送信するステップと、
を含み、前記第2の波形は前記第1の波形とは異なり、
前記第1の波形は、直交周波数分割多重化(OFDM)波形を備え、前記第2の波形は、フィルタバンクマルチキャリア(FBMC)波形またはfiltered-OFDM(F-OFDM)波形を備える請求項8に記載の方法。
【請求項１１】
プロセッサと、
前記プロセッサによって実行するためのプログラミングを記憶するコンピュータ可読記憶媒体であって、前記プログラミングは請求項8から10のいずれか一項に記載の方法におけるアクションを実装するための命令を含む、コンピュータ可読記憶媒体と、
を備える、送信ポイント。
【請求項１２】
マルチスペクトル受信機を動作させるための方法であって、
送信ポイントと受信ポイントとの間に統合無線インターフェースを確立するステップと、
一次帯域の少なくとも一部および補完帯域の少なくとも一部にまたがる前記統合無線インターフェース上でワイヤレス伝送を前記受信ポイントによって受信するステップであり、前記一次帯域はセルラーオペレーション用に認可され、前記補完帯域は無認可通信用に確保され、前記一次帯域及び前記補完帯域の双方に、同じ無線アクセス技術（RAT）が使用される、ステップと、
を含み、
前記統合無線インターフェース上で複数の帯域にまたがるワイヤレス信号を通信するための構成パラメータは、コントローラによって選択され、前記選択された構成パラメータは、前記一次帯域上で信号を通信するための第1のセットの構成パラメータ、および前記補完帯域上で信号を通信するための第2のセットの構成パラメータを含み、
前記方法はさらに、
QoS制約条件に戻づいて、ソフトウェア定義無線(SDR)シグナリング命令を前記受信ポイントに送信するステップであって、前記SDRシグナリング命令は、前記第1のセットの構成パラメータに従って前記一次帯域上で前記ワイヤレス伝送を搬送するために1つまたは複数の無線インターフェース構成パラメータを動的に適応させることおよび前記第2のセットの構成パラメータに従って前記補完帯域上で前記ワイヤレス伝送を搬送するために1つまたは複数の無線インターフェース構成パラメータを動的に適応させることを前記受信ポイントに促す、ステップを含み、
前記一次帯域上の決定論的QoS制約条件を有するトラフィックをスケジュールするか、又は前記補完帯域がトラフィックの統計的QoS制約条件を満たすことができるときに、前記補完帯域上の統計的QoS制約条件を有するトラフィックをスケジュールする、方法。
【請求項１３】
前記ワイヤレス伝送を受信するステップは、
前記一次帯域上で第1のフレームを受信するステップと、
共通の期間中に前記補完帯域上で第2のフレームを受信するステップと、
を含み、前記第2のフレームは前記第1のフレームとは異なるフレーム構造を有し、前記第1のフレームおよび前記第2のフレームは時間領域において重なり、
前記第1のフレーム内の少なくとも1つのチャネルが前記第2のフレーム内の対応するチャネルとは異なるサイズ、配置、または向きを有するように、前記第1のフレームおよび前記第2のフレームは異なるチャネル構造を備える請求項12に記載の方法。
【請求項１４】
前記ワイヤレス伝送を受信するステップは、
前記一次帯域上で第1の波形を受信するステップと、
前記補完帯域上で第2の波形を受信するステップと、
を含み、前記第2の波形は前記第1の波形とは異なり、
前記第1の波形は直交周波数分割多重化(OFDM)波形を備え、前記第2の波形はフィルタバンクマルチキャリア(FBMC)波形またはfiltered-OFDM(F-OFDM)波形を備える請求項12に記載の方法。
【請求項１５】
プロセッサと、
前記プロセッサによって実行するためのプログラミングを記憶するコンピュータ可読記憶媒体であって、前記プログラミングは、請求項12から14のいずれか一項に記載の方法におけるアクションを実装するための命令を含む、コンピュータ可読記憶媒体と、
を備える、受信ポイント。
【発明の詳細な説明】
【技術分野】
【０００１】
本特許出願は、全体が再現されているかのように参照により本明細書に組み込まれている、2014年5月16日に出願した米国仮特許出願第61/994,734号、名称「System and Method for Integrated Licensed-Unlicensed QoS-Driven Spectrum Access」、および2015年3月26日に出願した米国非仮特許出願第14/669,333号、名称「System and Method for Communicating Wireless Transmissions Spanning both Licensed and Un-Licensed Spectrum」の優先権を主張するものである。
【０００２】
本発明は、一般的に、ネットワーク内のリソースの配分を管理することに関し、特定の実施形態において、認可スペクトルおよび無認可スペクトルの両方にまたがるワイヤレス伝送を通信するためのシステムおよび方法に関する。
【背景技術】
【０００３】
行政体は、異なる用途のためにワイヤレススペクトルの帯域を確保している。たとえば、米国連邦通信委員会(FCC)、国際電気通信連合(ITU)、および他の規制機関は、認可活動(たとえば、ラジオ、テレビ、衛星、移動体通信など)のためにスペクトルのいくつかの部分を確保し、無認可活動のためにスペクトルの他の部分を確保している。認可スペクトルは、規制機関によって規定された規制の対象となり、さらには認可活動に従事する公共団体および/または民間団体によって合意された運用プロトコルの対象ともなり得る。無認可通信用に確保されているスペクトルも、特に送信電力および共有アクセスに関して、対応する規制機関によって規定されている規制の対象になり得る。
【発明の概要】
【発明が解決しようとする課題】
【０００４】
技術的利点は、一般的に、認可スペクトルおよび無認可スペクトルの両方にまたがるワイヤレス伝送を通信するためのシステムおよび方法を説明する本開示の実施形態によって得られる。
【課題を解決するための手段】
【０００５】
一実施形態によれば、認可帯域および無認可帯域にまたがるワイヤレス通信を円滑にするための方法が提供される。この例では、方法は、統合無線インターフェースに従って複数の帯域上でワイヤレス信号を通信するための構成パラメータを選択するステップを含む。選択された構成パラメータは、セルラー通信用に認可されている一次帯域上でワイヤレス信号を通信するための第1のセットの構成パラメータと、無認可通信用に確保されている補完帯域上でワイヤレス信号を通信するための第2のセットの構成パラメータとを含む。方法はさらに、選択された構成パラメータに従って統合無線インターフェース上でワイヤレス伝送を実行することを送信ポイントに促すステップを含む。一次帯域にまたがるワイヤレス伝送の部分は、第1のセットの構成パラメータに従って通信され、補完帯域にまたがるワイヤレス伝送の部分は、第2のセットの構成パラメータに従って通信される。この方法を実行するための装置も実現される。
【０００６】
別の実施形態によれば、認可帯域および無認可帯域にまたがる信号を伝送するための方法が提供される。この例では、方法は、送信ポイントと1つまたは複数の受信ポイントとの間に統合無線インターフェースを確立するステップと、一次帯域の少なくとも一部および補完帯域の少なくとも一部にまたがる統合無線インターフェース上でワイヤレス伝送を実行するステップとを含む。一次帯域は、セルラーオペレーション用に認可され、補完帯域は、無認可通信のために確保されている。この方法を実行するための装置も実現される。
【０００７】
さらに別の実施形態によれば、マルチスペクトル受信機を動作させるための方法が提供される。この例では、方法は、送信ポイントと受信ポイントとの間に統合無線インターフェースを確立するステップと、一次帯域の少なくとも一部および補完帯域の少なくとも一部にまたがる統合無線インターフェース上でワイヤレス伝送を受信するステップとを含む。一次帯域は、セルラーオペレーション用に認可され、補完帯域は、無認可通信のために確保されている。この方法を実行するための装置も実現される。
【０００８】
本開示、およびその利点をより完全に理解できるように、付属の図面とともに以下の説明が参照される。
【図面の簡単な説明】
【０００９】
【図１】一実施形態のワイヤレス通信ネットワークの図である。
【図２】適応可能な無線インターフェース上で一次スペクトルおよび補完スペクトルの両方の部分にまたがるワイヤレス伝送をトランスポートするように適応された一実施形態のワイヤレスネットワークの図である。
【図３】適応可能な無線インターフェース上で一次スペクトルおよび補完スペクトルの両方の部分にまたがるワイヤレス伝送をトランスポートするように適応された別の実施形態のワイヤレスネットワークの図である。
【図４】適応可能な無線インターフェース上で一次スペクトルおよび補完スペクトルの両方の部分にまたがるワイヤレス伝送をトランスポートするように適応されたさらに別の実施形態のワイヤレスネットワークの図である。
【図５】一次帯域および補完帯域の両方の部分上のワイヤレス伝送を実行するための一実施形態の方法のフローチャートを示す図である。
【図６】一次帯域および補完帯域の両方の部分上のワイヤレス伝送を受信するための一実施形態の方法のフローチャートを示す図である。
【図７】適応可能な無線インターフェース上で一次スペクトルおよび補完スペクトルの両方の部分にまたがるワイヤレス伝送をトランスポートするように適応された別の実施形態のワイヤレスネットワークの図である。
【図８】一次帯域および補完帯域の両方にまたがるワイヤレス伝送をサポートするための一実施形態の統合無線インターフェースを示す図である。
【図９】トラフィックをオフロードする際に使用する拡張スペクトルの割合を決定するための一実施形態のアルゴリズムのブロック図である。
【図１０】一実施形態のフレーム構造の図である。
【図１１】一実施形態の送受信機のブロック図である。
【図１２】一実施形態のコンピューティングプラットフォームの図である。
【図１３】一実施形態の通信デバイスを示す図である。
【発明を実施するための形態】
【００１０】
異なる図の中の対応する番号および記号は、一般的に、特に断りのない限り、対応する部分を指す。図は、実施形態の関連する態様を明確に示すように描かれており、必ずしも原寸通りでない。
【００１１】
本開示の実施形態の製作および使用は、以下で詳しく説明される。しかしながら、本明細書で開示されている概念は、様々な特定の文脈において具現化されるものとしてよく、また本明細書で説明されている特定の実施形態は、単なる例示であり、請求項の範囲を制限するために使用されないことは理解されるべきである。さらに、付属の請求項によって定義されているような本開示の精神および範囲から逸脱することなく様々な変更、置換、および改変が本明細書で行われ得ることも理解されるべきである。
【００１２】
ロングタームエボリューション(LTE)アドバンスト(LTE-A)プロトコルなどの、多くのワイヤレス通信プロトコルは、本開示全体を通して「一次帯域」と総称される、セルラー通信に対して認可されている周波数帯域でのみ動作する。Wi-Fiプロトコルなどの他のワイヤレス通信プロトコルは、本開示全体を通して「補完帯域」と称される、無認可帯域でのみ動作する。「認可帯域」という用語は、「一次帯域」という用語と入れ換えて使用され、また「無認可帯域」という用語は、「補完帯域」という用語と入れ換えて使用され得る。特に、セルラー伝送に対して認可されている周波数帯域は、時間に応じて変化することがあり、「一次帯域」という用語は、本出願の提出後にセルラー伝送に対して再認可される周波数帯域を指すこともある。補完帯域は、工業、科学、および医療(ISM)帯域などの、非遠隔通信目的のために確保されているスペクトルを含み得る。一次帯域上で動作する遠隔通信プロトコルは、多くの場合、より信頼できるデータ伝送を提供するが、補完帯域上で動作する遠隔通信プロトコルは、多くの場合、信頼性が低下するにもかかわらず、低遅延高容量伝送をサポートすることができる。
【００１３】
本開示の態様は、一次帯域(たとえば、認可スペクトル)および補完帯域(たとえば、無認可スペクトル)の両方の部分にまたがる統合無線インターフェース上でワイヤレス伝送を実行するための技法を提供する。いくつかの実施形態において、認可スペクトルおよび無認可スペクトルの両方にまたがるワイヤレス伝送は、一次帯域および補完帯域のそれぞれで、異なるフレームフォーマットにおいてデータを搬送する。たとえば、一次帯域上で通信されるフレームは、補完帯域上で通信されるフレームとは異なるチャネル構造(たとえば、異なるサイズ、配置、向きなど)を有し得る。他の実施形態において、認可スペクトルおよび無認可スペクトルにまたがるワイヤレス伝送は、一次帯域および補完帯域のそれぞれで異なるアクセス方式を使用する。たとえば、加入者は、一次帯域上で通信するときに、スケジュールされたまたは承認ベースのリソースにアクセスすることができ、一方で、補完帯域上で通信するときに、競合ベースのまたは承認なしのリソースにアクセスすることができる。したがって、単一のワイヤレス伝送は、一次帯域の承認ベースのリソース上でおよび補完帯域の承認なしのリソース上でデータをトランスポートし得る。他の実施形態において、認可スペクトルおよび無認可スペクトルにまたがるワイヤレス伝送は、異なる波形を使用して一次帯域および補完帯域のそれぞれでデータをトランスポートする。たとえば、ワイヤレス伝送は、直交周波数直交周波数分割多重化(OFDM)波形を使用して一次帯域上でデータをトランスポートすることができ、一方で、フィルタバンクマルチキャリア(FBMC)波形を使用して補完帯域上でデータをトランスポートすることができる。いくつかの実施形態において、認可スペクトルおよび無認可スペクトル上でワイヤレス伝送をトランスポートするように適応された統合無線インターフェースは、ソフトウェア定義無線(SDR)シグナリング命令を介して動的に構成可能/再構成可能である。たとえば、コントローラは、一次帯域、補完帯域、またはその両方でトラフィックを通信するために使用される伝送パラメータを操作するために、送信ポイントまたは受信ポイントにSDR命令を信号伝達することができる。これらのおよび他の詳細は、以下にさらに詳しく説明される。
【００１４】
本明細書で使用されているように、「統合無線インターフェース」という用語は、第5世代(5G)LTEシステムにおけるセルラー無線アクセスネットワーク(RAN)などの、共通の無線アクセス技術(RAT)に従って動作するインターフェースと整合し得るような、共通の物理および媒体アクセス制御(MAC)接続を共有する無線インターフェースを指す。いくつかの実施形態において、統合無線インターフェースは、セルラー通信用に認可されている一次帯域に対する1つの無線インターフェース構成および無認可通信用に確保されている補完帯域に対する1つの無線インターフェース構成を含む、少なくとも2つのスペクトルタイプ依存の無線インターフェース構成を備える。
【００１５】
図1は、データを伝達するためのネットワーク100を例示している。ネットワーク100は、カバーエリア101、複数のモバイルデバイス120、およびバックホールネットワーク130を有する基地局110を備える。図示されているように、基地局110は、モバイルデバイス120から基地局110への、およびその逆へのデータ搬送に使用される、モバイルデバイス120とのアップリンク(破線)および/またはダウンリンク(点線)接続を確立する。アップリンク/ダウンリンク接続で搬送されるデータは、モバイルデバイス120間で伝達されるデータ、さらにはバックホールネットワーク130を用いてリモートエンド(図示せず)に/から伝達されるデータを含み得る。本明細書で使用されているように、「基地局」という用語は、拡張基地局(eNB)、マクロセル、フェムトセル、Wi-Fiアクセスポイント(AP)、または他のワイヤレス対応デバイスなどの、ネットワークへのワイヤレスアクセスを提供するように構成されている任意のコンポーネント(またはコンポーネントの集合体)を指す。基地局は、1つまたは複数のワイヤレス通信プロトコル、たとえば、ロングタームエボリューション(LTE)、LTEアドバンスト(LTE-A)、高速パケットアクセス(HSPA)、Wi-Fi 802.11a/b/g/n/acなどによるワイヤレスアクセスを提供し得る。本明細書で使用されているように、「移動デバイス」という用語は、ユーザ機器(UE)、移動局(STA)、および他のワイヤレス対応デバイスなどの、基地局とのワイヤレス接続を確立することができる任意のコンポーネント(またはコンポーネントの集合体)を指す。いくつかの実施形態において、ネットワーク100は、中継局、低電力ノードなどの、様々な他のワイヤレスデバイスを含み得る。
【００１６】
本開示の態様は、一次スペクトルおよび補完スペクトルの両方の部分にまたがるワイヤレス伝送をトランスポートするように構成された、送信ポイントと受信ポイントとの間の統合無線インターフェースを提供する。統合無線インターフェースは、送信ポイントから単一の受信ポイントに、または送信ポイントから複数の受信ポイントに伸び得る。一例では、適応インターフェースが、基地局とユーザ機器との間に確立される。図2は、一次スペクトルおよび補完スペクトルの両方のワイヤレス伝送の範囲となる部分を通信するように適応された一実施形態のワイヤレスネットワーク200を例示する図である。図示されているように、ワイヤレスネットワーク200は、基地局210、ユーザ機器(UE)230、およびコントローラ260を備える。統合無線インターフェース213は、基地局210とUE230との間に確立され、少なくとも一次帯域の一部および補完帯域の一部にまたがるワイヤレス伝送290を搬送するように適応される。一実施形態において、ワイヤレス伝送290は、基地局210からUE230に通信されるダウンリンク信号である。別の実施形態において、ワイヤレス伝送290は、UE230から基地局210に通信されるアップリンク信号である。ワイヤレス伝送290は、また、異なる伝送形式/特性を有することもできる。たとえば、ワイヤレス伝送290は、ユニキャスト伝送、マルチキャスト伝送、またはブロードキャスト伝送であってよい。別の例として、ワイヤレス伝送は、単一のアンテナから、または複数のアンテナから伝達されるシングルレイヤシグナリングおよび/またはマルチレイヤシグナリング、たとえば、シングルユーザ(SU)多入力多出力(MIMO)伝送、マルチユーザMIMO伝送などを含み得る。
【００１７】
コントローラ260は、統合無線インターフェース213上でマルチバンド伝送を制御するまたは円滑にするように適応された制御プレーンエンティティであってよい。たとえば、コントローラ260は、統合無線インターフェース213上でトラフィックを静的に、半静的に、または動的にスケジュールするように適応されたスケジューラであってよい。別の例として、コントローラ260は、基地局210および/またはUE230にポリシを静的に、半静的に、または動的に配布するように適応されたトラフィックエンジニアリング(TE)コントローラであってよい。さらに別の例として、コントローラ260は、SDRシグナリング命令を基地局210および/またはUE230に通信することによって統合無線インターフェース213を動的に再構成するように適応され得る。一実施形態において、コントローラ260は、異なる伝送パラメータ、たとえば、異なるフレームフォーマット、異なる波形、異なるアクセス方式など、に従って一次帯域および補完帯域のそれぞれでトラフィックをトランスポートするように統合無線インターフェースを構成するSDR命令を信号伝達する。
【００１８】
コントローラ260は、一次帯域上の決定論的QoS制約条件を有するトラフィックをスケジュールすることができ、補完帯域がトラフィックの統計的QoS制約条件を満たすことができるときに補完帯域上の統計的QoS制約条件を有するトラフィックをスケジュールすることができる。本明細書で説明されるように、「決定論的QoS制約条件」は、トラフィックフロー内のあらゆるパケットがQoS要件を満たす仕方で通信されることを必要とするが、「統計的QoS制約条件」は、いくつかのパケット(たとえば、全パケットのうちのわずか)がQoS要件に違反する仕方で通信されるときでも満たされ得る。たとえば、決定論的待ち時間要件は、フロー内の各パケットが遅延限界の範囲内で通信されるときに満たされる。逆に、統計的待ち時間要件は、ある一定の割合のパケットが遅延限界の範囲内で通信されるときに満たされ得る。
【００１９】
実施形態の適応インターフェースはまた、中継局と別のデバイス、たとえば、基地局、UE、別の中継装置など、との間に確立され得る。図3は、一次スペクトルおよび補完スペクトルの両方の部分にまたがるワイヤレス伝送を通信するように適応された別の実施形態のワイヤレスネットワーク300を例示している。図示されているように、ワイヤレスネットワーク300は、基地局310、中継局320、UE330、およびコントローラ360を備える。無線インターフェース312、323は、中継局320と基地局310との間、および中継局320とUE330との間に、それぞれ確立される。無線インターフェース312、323のうちの1つまたはその両方は、一次帯域および補完帯域の両方にまたがるワイヤレス伝送390を搬送するように適応された統合無線インターフェースであってよい。コントローラ360は、コントローラ260と同様に構成され得る。たとえば、コントローラ360は、無線インターフェース312および/または無線インターフェース323上のトラフィックをスケジュールすることができる。別の例として、コントローラ360は、無線インターフェース312および/または無線インターフェース323を動的に再構成するためのSDN命令を信号伝達することができる。
【００２０】
実施形態の適応インターフェースはまた、たとえば、直接デバイス間(D2D)インターフェースとして、一対のUEの間に確立され得る。図4は、一次帯域および補完帯域の両方の部分にまたがるワイヤレス伝送を通信するように適応されたさらに別の実施形態のワイヤレスネットワーク400を例示している。図示されているように、ワイヤレスネットワーク400は、無線インターフェース434を介して相互接続されたユーザ機器(UE)430、440を備える。無線インターフェース434は、一次帯域および補完帯域の両方の部分にまたがるワイヤレス伝送490を搬送するように適応される。無線インターフェース213、312、323、および434は、一次帯域および補完帯域の両方にまたがる実施形態のワイヤレス伝送をトランスポートするように適応され得るワイヤレスリンクタイプのうちのいくつかを表すことが、当業者には理解されよう。たとえば、ネットワークアクセスポイントの間に広がるワイヤレスバックホールインターフェースは、一次帯域および補完帯域の両方にまたがるワイヤレス伝送をトランスポートするように適応され得る。
【００２１】
本開示の態様は、一次帯域および補完帯域の両方にまたがるワイヤレス伝送を通信するための方法を提供する。図5は、送信ポイントによって実行され得るように、一次帯域および補完帯域の両方の部分にまたがるワイヤレス伝送を実行するための一実施形態の方法500を例示している。図示されているように、実施形態の方法500はステップ510で始まり、送信ポイントは受信ポイントとの無線インターフェースを確立する。本明細書で使用されているように、「送信ポイント」という用語は、ワイヤレス伝送(たとえば、基地局、中継局、移動局など)を放射するように適応された任意のデバイスを指し、「受信ポイント」という用語は、ワイヤレス伝送を受信するように適応された任意のデバイス、たとえば、基地局、中継局、移動局など、を指す。
【００２２】
無線インターフェースは、リンク確立プロトコルを介して確立され得る。一実施形態において、無線インターフェースは、ソフトウェア定義無線(SDR)制御シグナリング命令に従って少なくとも部分的に確立される。SDR制御シグナリング命令は、何らかのサードパーティ、たとえば、コントローラなど、によって、送信ポイントから受信ポイントに、受信ポイントから送信ポイントに、または送信/受信ポイントに通信され得る。一実施形態において、無線インターフェースは、第1のセットのパラメータを使用して一次帯域上でトラフィックをトランスポートするために、および第2のセットのパラメータを使用して補完帯域上でトラフィックをトランスポートするために、SDRシグナリング命令に従って動的に確立される。第2のセットのパラメータは、第1のセットのパラメータとは異なり得る。たとえば、SDR命令は、トラフィックは一次帯域および補完帯域のそれぞれで異なる波形においてトランスポートされるべきであると指定することができる。別の例として、SDR命令は、トラフィックは一次帯域および補完帯域のそれぞれで異なるフレームフォーマットにおいてトランスポートされるべきであると指定することができる。
【００２３】
無線インターフェースが確立された後は、方法500はステップ520に進み、送信ポイントは、一次帯域および補完帯域の両方の部分にまたがる無線インターフェース上でワイヤレス伝送を実行する。一実施形態において、ワイヤレス伝送は、一次帯域および補完帯域上の単一のトラフィックフローを多重化する。一次帯域および補完帯域のそれぞれでトランスポートされるトラフィックフローの部分は、1つの部分で搬送されるデータが他方から排除されるように、そして逆の場合も同じであるように、相互に排他的であってよい。代替的に、一次帯域および補完帯域のそれぞれでトランスポートされるトラフィックフローの部分は、トラフィックフローのそれぞれの部分の間に少なくともある程度の冗長性が存在するように、少なくともいくらかを共通で共用し得る。さらに別の代替として、トラフィックフローの部分のうちの1つは、そのトラフィックフロー内のデータ(たとえば、メディアストリームなど)に対応する情報ビットを搬送することができ、一方で、トラフィックフローのその他の部分は、それらの情報ビットに対応するパリティビットを搬送し得る。
【００２４】
図6は、受信ポイントによって実行され得るように、一次帯域および補完帯域の両方の部分にまたがるワイヤレス伝送を受信するための一実施形態の方法600を例示している。図示されているように、実施形態の方法600はステップ610で始まり、受信ポイントは、送信ポイントとの無線インターフェースを確立する。次に、方法600はステップ620に進み、受信ポイントは、一次帯域および補完帯域の両方の部分にまたがる無線インターフェース上でワイヤレス伝送を受信する。ステップ620で通信されるワイヤレス伝送は、ステップ520で通信されるワイヤレス伝送と同様であってよい。
【００２５】
いくつかの実施形態において、統合無線インターフェースは、送信ポイントから複数の受信ポイントに伸びている。図7は、一次スペクトルおよび補完スペクトルの両方の部分にまたがるワイヤレス伝送を通信するように適応された一実施形態のワイヤレスネットワーク700を例示している。図示されているように、ワイヤレスネットワーク700は、送信ポイント710および複数の受信ポイント730〜738を含む。統合無線インターフェース713は、送信ポイント710と複数の受信ポイント730〜738との間に確立される。統合無線インターフェース713は、少なくとも一次帯域の一部および補完帯域の一部にまたがるワイヤレス伝送790を搬送するように適応される。いくつかの実施形態において、異なる帯域にまたがるワイヤレス伝送790の部分は、受信ポイント730〜738の異なるサブセットに通信される。受信ポイントのサブセットは、少なくとも1つの共通の受信ポイント、たとえば、両方の帯域上で通信される信号の部分を受信する受信ポイント、を含み得る。たとえば、一次帯域にまたがるワイヤレス伝送790の一部は、受信ポイント730および受信ポイント732を含む受信ポイントのサブセットに通信することができ、一方で、補完帯域にまたがるワイヤレス伝送790の一部は、受信ポイント732および受信ポイント738を含む受信ポイントのサブセットに通信することができる。そのような一例において、受信ポイント732は、一次帯域および補完帯域の両方にまたがるワイヤレス伝送790の部分を受信することになる。代替的に、受信ポイントのサブセットは、互いに排他的であってよい。たとえば、一次帯域にまたがるワイヤレス伝送790の一部は、受信ポイント730および受信ポイント732を含む受信ポイントのサブセットに通信することができ、一方で、補完帯域にまたがるワイヤレス伝送790の一部は、受信ポイント738に通信することができる。
【００２６】
いくつかの実施形態において、ワイヤレスネットワークは、スペクトル(認可および無認可)のプールを作成し、ネットワークの容量および信頼性に従ってプールを通じてトラフィックのルーティングを行うことができる。認可および無認可プールにおけるトラフィックは、周波数帯域の特性および各帯域における予想トラフィックに従って選択された異なる波形を使用して送信され得る。
【００２７】
ルーティングは、無認可スペクトルは認可スペクトルよりも信頼性が低い可能性があるという認識の下で実行され得る。たとえば、無認可スペクトルは、電子レンジなどの器具によって引き起こされる干渉を含み得る。別の例として、無認可スペクトルは、5G無線アクセス技術を使用する加入者からのRAT内干渉および/または異なる無線アクセス技術、たとえばWi-Fiなど、を使用する加入者からのRAT間干渉を含み得る。
【００２８】
本開示の態様は、次世代または第5世代の無線インターフェースなどの、統合無線インターフェース(AI)を介して認可スペクトルおよび無認可スペクトルの両方にまたがるワイヤレス伝送を実行するためのシステムおよび方法を実現する。本開示の態様は、総システム容量を増大させ得るが、アプリケーション特有のサービス品質(QoS)要件も満たす。本開示の態様は、ワイヤレスネットワークを無認可スペクトルに拡張して、ネットワーク容量を改善する。本開示の態様は、認可スペクトルと無認可スペクトルとの間の動的な切り替え技術、スペクトルをまたぐ柔軟な負荷分散、認可スペクトル上の干渉の最小化、および認可スペクトルに対する要求の低減を実現するものである。認可スペクトルは、補完帯域および/または補助帯域/スペクトルとも称され、高優先度トラフィックおよび決定論的QoS要件を有するトラフィックに使用され得る。これは、統計的QoS要件を有するトラフィックに対するフォールバックスペクトル(たとえば、必要に応じて)として働き得る。無認可スペクトルは、一次帯域および/またはコア帯域/スペクトルとも称され、トラフィックオフローディングに使用されるものとしてよく、またいくつかの実施形態において、ベストエフォート型のトラフィックおよび統計的QoS要件を有するトラフィックに使用されてよい。
【００２９】
図8は、一次帯域および補完帯域の両方にまたがるワイヤレス伝送をサポートするための一実施形態の統合無線インターフェースを例示している。一次帯域は、制御シグナリング、緊急サービス、セキュリティ、ネットワークアクセス、放送、同期チャネル、および決定論的QoS要件を有するトラフィックなどの、高優先度トラフィックに使用され得る。無認可スペクトルは、トラフィックオフローディングの目的のために日和見的に、またベストエフォート型の(遅延耐性)トラフィック(たとえば、動画、画像、音楽などのコンテンツダウンロード)に、さらには統計的QoS要件を有するトラフィックに使用され得る。ネットワーク要素は、トラフィックタイプおよび/またはパブリケーション特有のQoS要件を満たすように一次帯域と補完帯域との間でトラフィックを動的に切り替えることができる。これは、負荷を意識したスペクトル拡張/リトラクション(retraction)をもたらす。
【００３０】
一実施形態において、補完スペクトルは、一次帯域からのデータオフローディングトラフィックなどの様々なタスク、および負荷を意識した要求ベースの適応的スペクトル拡張-リトラクションに使用される。異なるスペクトル帯域が使用されているので、異なる無線インターフェース(AI)が、一次帯域および補完帯域に使用され得ることに留意すべきである。代替的に、同じ無線インターフェースは、一次帯域および補完帯域の両方にまたがる伝送を搬送するために使用され得る。一実施形態において、ベクトルタイプ依存のSoftAIは、一次帯域および補完帯域に対して異なる伝送パラメータ(たとえば、物理層(PHY)設計)を用意している。これは、異なる波形、異なるアクセス方式、フレーム構造、チャネル化などを可能にし得る。送信ポイント(TP)連携およびUE連携を考慮した無認可スペクトルに対する要求を決定するために仮想リソース関連付け(V-RA)ベースの共同無線リソース管理(RRM)方式(virtual resource association (V-RA) based joint radio resource management (RRM) scheme)が使用され得る。認可スペクトルのフォールバック動作に対する主要業績評価指標(KPI)監視メカニズムは、QoS要件が確実に満たされるように追加され得る。
【００３１】
図9は、トラフィックをオフロードする際に使用する拡張スペクトルの割合を決定するための一実施形態のアルゴリズムのブロック図を例示している。認可トラフィックオフローディングに使用される補完帯域の割合は、公正のために、たとえば、無認可帯域における平均トラフィック負荷、認可および無認可スペクトルのチャネル条件、および最低速度、遅延感度、優先度、および他のものなどの認可トラフィックQoS要件などのファクターに基づき他の共存するシステムに対する影響を低減するために、柔軟にかつ動的に調整され得る。
【００３２】
スペクトル感知は、トラフィックオフローディングに日和見的に使用されるべき無認可スペクトルの未使用部分を識別するために使用され得る。OFDMは、最も一般的に使用されているマルチキャリア波形であるが、パワースペクトル密度の高い帯域外サイドローブに悩まされることが知られている。これは、共存するシステムに対する隣接チャネル干渉問題を引き起こし、保護周波数帯の使用を必要とする可能性がある。代替的に、補完帯域への動的アクセスは、より多くのスペクトルが含まれるスケーラブルなベースバンド波形(more spectrally contained and scalable baseband waveform)の使用を必要とし得る。
【００３３】
フィルタリングは、OFDMの帯域外放射を低減するために使用され得る。特定の周波数フラグメントに合わせて動的に設計される適応フィルタを有するfiltered-OFDM(F-OFDM)は、無認可スペクトルの非連続フラグメントに動的にアクセスするためによりスペクトル効率が高く、スケーラブルな波形であり得る。
【００３４】
OFDM/OQAMは、OFDM波形よりも多くのスペクトルが含まれるフィルタバンクマルチキャリア(FBMC)波形であり(保護周波数帯または巡回プレフィックスを必要としない)、また無認可スペクトルなどの動的スペクトル共有環境により高い柔軟性をもたらし、複雑度が増し、待ち時間が増えるのと引き換えにF-OFDMよりも優れた性能をもたらし得る。
【００３５】
本開示の態様は、一次帯域におけるOFDMなどの実証済みマルチキャリア波形および/または補完帯域におけるF-OFDMまたはFBMC波形などの動的スペクトル共有環境により適した波形を併用するスペクトルタイプ依存マルチキャリアシステムを実現する。
【００３６】
拡張された無認可スペクトルにおけるスペクトルアクセスは、listen-before-talk(LBT)規制などのいくつかの領域におけるいくつかの規制に従うために必要になり得る。補完帯域における適応的な、および柔軟なフレーム構造は、LBTメカニズムなどの規制による制限に対応することができ、さらには測定および同期チャネルの伝送も可能にし得る。一実施形態において、競合のないアクセスおよび競合ベースのアクセスに対する持続時間が定期的なチャネル感知に従って調整され得る無認可スペクトルにおけるフレーム構造は、図10に示されているとおりである。
【００３７】
スケジュールされた承認ベースのアクセスは、一次帯域上で使用され得るが、競合ベースのアクセスは、補完帯域上で使用され得る。補完帯域上で競合ベースのアクセスを使用することで、スペクトルが共存するシステムと共有されることを可能にし得る。一実施形態において、2つの競合レベルが定義され得る。第1のものは、無線アクセス技術(RAT)間競合であり、第2のものは、RAT内競合である。RAT間競合において、競合は、補完帯域を使用する異なる無線アクセス技術の間(たとえば、5G RATと他のRATとの間)の競合である。RAT内競合において、競合は、同様の技術エンティティ(たとえば、同じオペレータからのまたは異なるオペレータに属するベストエフォート型トラフィックを有する5Gネットワークエンティティ)間である。
【００３８】
図11は、一次および補完スペクトル上でワイヤレス伝送を通信するように適応された一実施形態の5G送受信機を例示している。この例では、5G送受信機は、一次スペクトル上でワイヤレス信号を送信および受信するように適応されたOFDM送受信機チェーンと、補完スペクトル上でワイヤレス信号を送信および受信するように適応されたF-OFDM送受信機チェーンとを含む。一実施形態において、専用設計MACプロトコルが、補完帯域を効率よく使用し、補完帯域上の2つのレベルの競合を適切に処理するために使用される。これは、LBTランダムアクセス手順の何らかの形態を許すことができ、中心エンティティは、5G RATが無認可スペクトル上の平均トラフィック負荷に基づき補完帯域を使用すべきかどうかを決定し得る。無認可帯域に軽い負荷がかかっていると感知されたときに、中心エンティティは、5G RATが無認可スペクトルにアクセスする確率を適応的に高めることができ、その逆も可能である。そのような中心エンティティは、RAT内競合を管理するためにスケジュールされたアクセスまたは競合ベースのアクセスのいずれかを使用することができる。
【００３９】
集中型コントローラは、アプリケーションシナリオ、トラフィックタイプ、QoS、およびセキュリティ要件に応じてどのUEによってどのスペクトルが使用されるべきかを選択するために使用され得る。代替的に、たとえば、補完帯域での干渉レベルおよび/または近隣の干渉するRATの存在のそれの認識などの集中型コントローラへのフィードバック情報の送信を介して、UEが決定プロセスに参加できるように規則および条件がUEにプッシュされることも可能である。
【００４０】
例示的な一シナリオにおいて、音声、事業者特有のサービス、または高セキュリティデータベアラなどの高QoSデータは、QoS要件が満たされることを確実にするために従来の認可スペクトル上で送信することができる。その一方で、弾性トラフィック、たとえば、ベストエフォート型および遅延耐性データベアラは、無認可(および信頼性の低い)スペクトル上で転送することができる。集中型コントローラは、無認可帯域上で提供されるQoSを連続的にまたは定期的に測定し、期待されるQoSが保証され得ないときには必ずUEおよびトラフィックを認可スペクトルに動的に切り替えて戻すことができる。QoS要件が無認可スペクトル上で満たされ得ないときには必ず認可スペクトルへのフォールバックが行われることを確実にするために、フォールバックメカニズムが採用され得る。
【００４１】
UEiが3つのパラメータ(γi、δi、εi)によって捕捉されるQoS特性を持つ周期的トラフィックを有すると仮定し、γはパケット到着レートであり、δは最大許容ジッタ(2つの連続するパケット出発の時刻と2つの連続するパケット到着の時刻との差)、およびεはジッタ違反の許容可能確率である。
【００４２】
決定論的QoS保証を有するUEについては、εiはゼロに等しい。この場合、ジッタ違反にはマージンがないので、集中型コントローラは、UEに決定論的QoSを割り当てて、認可スペクトルを使用する。スペクトルリソースの効率的な使用を達成するために、集中型コントローラは、統計的QoS要件を持つUEに対して無認可スペクトルリソースを割り当て得る。無認可スペクトルは、信頼できるものではなく、したがって、そのリソースは、あるブロッキングレートqで特徴付けられる。集中型コントローラは、無認可スペクトル上の平均ブロッキングレートを監視することができ、これらの特性に基づき、QoSが許容可能なレベルの範囲内にある、たとえば、q<εiである限り、無認可スペクトルを使用するようにUEに統計的QoSを割り当てることができる。
【００４３】
当業者であれば、既存のソリューションは、同時に総システム容量を最大化し、多様なトラフィックタイプに対するQoS制約条件(たとえば、弾性対非弾性のトラフィック)が満たされていることを確実にしながら統合無線インターフェースを使用して認可スペクトル帯域および無認可スペクトル帯域の両方を効率よく利用する統合スペクトルアクセス方法を可能にするソリューションとならないことを理解するであろう。上述のソリューションは、アプリケーション特有のQoS特性を利用して、認可スペクトルおよび無認可スペクトルの両方を効率よく利用し、5G無線アクセスネットワークの性能を向上させることができる。
【００４４】
図12は、本明細書で開示されているデバイスおよび方法を実装するために使用され得る処理システムのブロック図を例示している。特定のデバイスは、図示されているコンポーネントのすべて、またはそれらのコンポーネントのサブセットのみを利用するものとしてよく、統合のレベルは、デバイス毎に変わり得る。さらに、デバイスは、複数の処理ユニット、プロセッサ、メモリ、送信機、受信機などの、コンポーネントの複数のインスタンスを含み得る。処理システムは、スピーカー、マイクロフォン、マウス、タッチスクリーン、キーパッド、キーボード、プリンタ、ディスプレイ、および同様のものなどの、1つまたは複数の入出力デバイスを装備する処理ユニットを備え得る。処理ユニットは、中央演算処理装置(CPU)、メモリ、大容量記憶装置デバイス、ビデオアダプタ、およびバスに接続されているI/Oインターフェースを備え得る。
【００４５】
バスは、メモリバスまたはメモリコントローラ、周辺機器バス、ビデオバス、または同様のものを含む任意のタイプのいくつかのバスアーキテクチャの1つまたは複数であってよい。CPUは、任意のタイプの電子データプロセッサを含み得る。メモリは、スタティックランダムアクセスメモリ(SRAM)、ダイナミックランダムアクセスメモリ(DRAM)、シンクロナスDRAM(SDRAM)、リードオンリーメモリ(ROM)、これらの組合せ、または同様のものなどの任意のタイプのシステムメモリを含み得る。一実施形態において、メモリは、起動時に使用するためのROM、およびプログラムを実行しながら使用するためのプログラムおよびデータ記憶装置のためのDRAMを含み得る。
【００４６】
大容量記憶装置デバイスは、データ、プログラム、および他の情報を記憶し、データ、プログラム、および他の情報をバスを介してアクセス可能にするように構成されている任意のタイプの記憶装置デバイスを含み得る。大容量記憶装置デバイスは、たとえば、ソリッドステートドライブ、ハードディスクドライブ、磁気ディスクドライブ、光ディスクドライブ、または同様のもののうちの1つまたは複数を含み得る。
【００４７】
ビデオアダプタおよびI/Oインターフェースは、外部入力デバイスおよび出力デバイスを処理ユニットに結合するためのインターフェースとなる。例示されているように、入力および出力デバイスの例は、ビデオアダプタに結合されたディスプレイ、およびI/Oインターフェースに結合されたマウス/キーボード/プリンタを含む。他のデバイスは、処理ユニットに結合されてよく、追加のまたはより少ないインターフェースカードが利用され得る。たとえば、ユニバーサルシリアルバス(USB)(図示せず)などのシリアルインターフェースは、プリンタ用のインターフェースにするために使用され得る。
【００４８】
処理ユニットは、イーサネット（登録商標）ケーブル、または同様のものなどの、有線リンク、および/またはノードもしくは異なるネットワークにアクセスするためのワイヤレスリンクを含み得る、1つまたは複数のネットワークインターフェースも含む。ネットワークインターフェースは、処理ユニットがネットワークを介してリモートユニットと通信することを可能にする。たとえば、ネットワークインターフェースは、1つまたは複数の送信機/送信アンテナおよび1つまたは複数の受信機/受信アンテナを介してワイヤレス通信を利用できるようにし得る。一実施形態において、処理ユニットは、データ処理、および他の処理ユニット、インターネット、リモートストレージ設備、または同様のものなどの、リモートデバイスとの通信のためにローカルエリアネットワークまたはワイドエリアネットワークに結合される。
【００４９】
図13は、上で説明されている1つまたは複数のデバイス(たとえば、UE、NB、など)と同等のものであってよい、通信デバイス1300の一実施形態のブロック図を示している。通信デバイス1300は、プロセッサ1304、メモリ1306、および複数のインターフェース1310、1312、1314を備えるものとしてよく、これらは図13に示されているように配置構成されてもよい(またはそうでなくてもよい)。プロセッサ1304は、計算および/または他の処理関係タスクを実行することができる任意のコンポーネントであってよく、メモリ1306は、プロセッサ1304に対するプログラミングおよび/または命令を記憶することができる任意のコンポーネントであってよい。インターフェース1210、1212、1214は、通信デバイス1300がセルラー信号を使用して通信することを可能にする任意のコンポーネントまたはコンポーネントの集合体であってよく、セルラーネットワークのセルラー接続上で情報を受信し、および/または送信するために使用され得る。
【００５０】
説明は詳細になされたが、付属の請求項によって定義されているような本開示の精神および範囲から逸脱することなく様々な変更、置換、および改変が行われ得ることも理解されるべきである。さらに、本開示の範囲は、本明細書で説明されている特定の実施形態に制限されることを意図されておらず、当業者であれば、本開示から、プロセス、マシン、製造、組成物、手段、方法、またはステップは、現在存在していようと後で開発されようと、本明細書で説明されている対応する実施形態と実質的に同じ機能を実行するか、または実質的に同じ結果をもたらし得ることを容易に理解するであろう。したがって、付属の請求項は、その範囲内に、そのようなプロセス、マシン、製造、組成物、手段、方法、またはステップを含めることを意図されている。
【符号の説明】
【００５１】
100  ネットワーク
101  カバーエリア
110  基地局
120  モバイルデバイス
130  バックホールネットワーク
200  ワイヤレスネットワーク
210  送信ポイント、基地局
213  統合無線インターフェース
230  受信ポイント、ユーザ機器
260  コントローラ
290  ワイヤレス伝送
300  ワイヤレスネットワーク
310  基地局
312  無線インターフェース
320  中継局
323  無線インターフェース
330  ユーザ機器
360  コントローラ
390  ワイヤレス伝送
400  ワイヤレスネットワーク
430  ユーザ機器
434  無線インターフェース
440  ユーザ機器
490  ワイヤレス伝送
700  ワイヤレスネットワーク
710  送信ポイント
713  統合無線インターフェース
730、732、738  受信ポイント
790  ワイヤレス伝送
1300  通信デバイス
1304  プロセッサ
1306  メモリ
1310、1312、1314  インターフェース
【図１】
0006600890.tif 000002
【図２】
0006600890.tif 000003
【図３】
0006600890.tif 000004
【図４】
0006600890.tif 000005
【図５】
0006600890.tif 000006
【図６】
0006600890.tif 000007
【図７】
0006600890.tif 000008
【図８】
0006600890.tif 000009
【図９】
0006600890.tif 000010
【図１０】
0006600890.tif 000011
【図１１】
0006600890.tif 000012
【図１２】
0006600890.tif 000013
【図１３】
0006600890.tif 000014